(57)【要約】 【課題】  部材点数が少なく、誰でも簡単かつ迅速に、安全で強度の高い朝顔を構築できる吊り足場用の朝顔構築部材を開発する。【解決手段】  橋桁２より吊りチェーン３にて吊り下げられ、備え付けの専用連結具で隣接するもの同士を連結して、橋桁２軸方向および同軸直角方向に連続する吊り足場４を構成するパネル式吊り足場板５を、そのまま朝顔９として利用する。吊り足場４を構成するパネル式吊り足場板５と朝顔９となすパネル式吊り足場板５とを、双方の橋桁２軸直角方向の側枠５ｂ，５ｂ間に、ヒンジピン１２で連結された左右一対の溝型金具１０1 ，１０2 よりなる専用の連結金具１０を介してボルト１５連結する。連結金具１０にて連結された両側のパネル式吊り足場板５間に控え単管１７を架設して、朝顔となすパネル式吊り足場板５を所要の傾斜角度θに保持する。【選択図】図５
0003120301.tif 000002
【実用新案登録請求の範囲】
【請求項１】
橋桁より吊りチェーンを介して複数垂設され、隣接するものどうしを互いに双方の側枠が備える専用連結具で連結することにより、上記橋桁の軸方向、または橋桁の軸方向および軸直角方向の両方向に連続する吊り足場を構成する吊り足場板の橋桁軸直角方向の側枠に、当該吊り足場板と同一構造の朝顔となす他の吊り足場板を回転可能に連結する連結金具であって、吊り足場を構成する吊り足場板の橋桁軸直角方向の側枠と同一長さの左右一対の溝形金具よりなり、該一対の溝形金具の一側面上縁部が互いに１本のピンでヒンジ連結されて、一方の溝形金具が上記ピンを中心に回転し、他方の溝形金具上に逆向きに重ね合わせられるとともに、一方の溝形金具の反ヒンジ連結側の側面部に、朝顔となす吊り足場板の橋桁軸直角方向の側枠に設けられた複数個のボルト穴と連通するボルト締着用のボルト穴を備え、他方の溝型金具の反ヒンジ連結側の側面部に、吊り足場を構成する吊り足場板の橋桁軸直角方向の側枠に設けられた複数個のボルト穴と連通するボルト締着用の複数個のボルト穴を備える連結金具を具備する吊り足場板の朝顔構築部材。
【請求項２】
請求項１に記載の連結金具と、この連結金具により連結された双方の吊り足場板間に架設され、朝顔となす吊り足場板を所要の傾斜角度に保持する控え単管とを具備する吊り足場板の朝顔構築部材。
【請求項３】
控え単管は、その一端側が、連結金具の一方の溝型金具に連結され、橋桁軸方向に連続する複数個の朝顔となす吊り足場板間に跨がって架設される一体化用単管にクランプを介して固着され、その他端側が、連結金具の他方の溝型金具に連結され、橋桁軸方向に連続する複数個の吊り足場を構成する吊り足場板間に跨がって架設される一体化用単管にクランプを介して固着される請求項２に記載の吊り足場板の朝顔構築部材。
【請求項４】
一体化用単管は、各吊り足場板に内蔵された埋め込みナットに螺着するボルト付単クランプを介して取り付ける請求項３に記載の吊り足場板の朝顔構成部材。
【考案の詳細な説明】
【技術分野】
【０００１】
本考案は、主に高速道路などの橋桁より吊り下げて設置される吊り足場において、その側部に設ける朝顔（落下防止壁）の構築部材に関する。
【背景技術】
【０００２】
一般に、高速道路などの橋桁の補修や点検作業では、その下方が川や車道であることが多く、地上から仮設足場を組み上げることができない。このため、このような作業では、図８に示すように、高速道路１などの橋桁２より吊りチェーン３にて吊り下げて設置する吊り足場４が使用される。
【０００３】
しかし、従来のこの種の吊り足場４は、橋桁２より、その軸方向に等間隔で吊り下げる吊りチェーン３と、橋桁２の軸方向に等間隔で配置され、上記吊りチェーン３により隣接する橋桁２間に水平に架設される単管２２と、上記単管２２上に前後両端部を載置して配設される足場板２３、それに足場板の下方および側方に張設する安全ネット２４などの部品で構成されており、これらの各部品を一つ一つクランプ等の連結具で連結しながら足場に構築してゆくという極めて煩わしく面倒な作業を強いるものであった。
【０００４】
このため、最近では、図９、図１０（ａ）（ｂ）（ｃ）に示すようなパネル式吊り足場板５が開発されている。このパネル式吊り足場板５は、橋桁２軸方向の一端側の側枠５ａに外方へ突出する連結用のフック６を設け、その他端側の側枠５ａに上記フック６と係合する係合軸７を設けるとともに、橋桁２軸直角方向（矢印ａ方向）の一端側の側枠５ｂ（断面溝型）に、連結用のクリップ８を設けたものである。すなわち、橋桁２軸方向の連結は、隣接する一方の吊り足場板５のフック６を他方の吊り足場板５の係合軸７に係合させて行ない、橋桁２軸直角方向の連結は、隣接する一方の吊り足場板５のクリップ８で、双方の吊り足場板５，５の側枠５ｂフランジ部を挟持して行なわれるようにしたものである。これにより、吊り足場４の構築および撤去作業は、簡単かつ迅速に行えるようになった（特許文献１参照）。
【０００５】
【特許文献１】特許第３０１７４６３号公報
【考案の開示】
【考案が解決しようとする課題】
【０００６】
しかしながら、上記図９、図１０（ａ）（ｂ）（ｃ）に示したパネル式吊り足場板５は、橋桁２の軸方向や同軸直角方向に必要規模の吊り足場４を構築するものであり、吊り足場４の橋桁２軸直角方向の両端に設ける朝顔（落下防止壁）９については、図１１、図１２に示すように、多数の単管２５をクランプ等の連結具２６を用いて吊り足場４から縦横に格子状に組み上げ、その表面にネットやシート２７または合板パネル等を張設し、足場４との隙間に幅木２８を取り付けて構築することが行われている。
【０００７】
このため、朝顔９の構築に関しては、未だに現場に搬入する部材数量の積算が煩雑であるばかりでなく、現場合わせ的な要素が多く含まれ、各作業員の技量により仕上げ状態や強度に優劣が生じたり、事前に積算した部材数量に過不足が生じる等の不具合が発生している。また、高所で部品を一つ一つ、クランプ等の連結具で連結しながら設置してゆく必要があるため、組立および撤去作業が極めて煩わしく面倒であるばかりか、部材の落下事故を招く虞がある。一部に大工作業を必要とし、木材等の消耗部材や、別職種の作業員を用意することでコストが高くつく。等の問題が残されている。
【０００８】
本考案は、このような問題を解決するためになされたものであり、多数の単管やクランプ等の連結具を必要とせず、また作業員の熟練度に影響されることなく誰でも簡単かつ迅速に、強固で落下隙間のない安全な朝顔を確実に構築することができるパネル式吊り足場の朝顔構築部材の提供を目的とする。
【課題を解決するための手段】
【０００９】
上記目的を達成する本考案の第１のパネル式吊り足場板の朝顔構築部材は、橋桁より吊りチェーンを介して複数垂設され、隣接するものどうしを互いに双方の側枠が備える専用連結具で連結することにより、上記橋桁の軸方向、または橋桁の軸方向および軸直角方向の両方向に連続する吊り足場を構成するパネル式吊り足場板の橋桁軸直角方向の側枠に、当該パネル式吊り足場板と同一構造で朝顔となす他のパネル式吊り足場板を回転可能に連結する連結金具であって、吊り足場を構成するパネル式吊り足場板の橋桁軸直角方向の側枠と同一長さの左右一対の溝形金具よりなり、該一対の溝形金具の一側面上縁部が互いに１本のピンでヒンジ連結されて、一方の溝形金具が上記ピンを中心に回転し、他方の溝形金具上に逆向きに重ね合わせられるとともに、一方の溝形金具の反ヒンジ連結側の側面部に、朝顔となすパネル式吊り足場板の橋桁軸直角方向の側枠に設けられた複数個のボルト穴と連通するボルト締着用のボルト穴を備え、他方の溝型金具の反ヒンジ連結側の側面部に、吊り足場を構成するパネル式吊り足場板の橋桁軸直角方向の側枠に設けられた複数個のボルト穴と連通するボルト締着用の複数個のボルト穴を備える連結金具を具備するものである。
【００１０】
また、本考案の第２のパネル式吊り足場板の朝顔構築部材は、上記連結金具と、この連結金具により連結された双方のパネル式吊り足場板間に架設され、朝顔となすパネル式吊り足場板を所要の傾斜角度に保持する控え単管とを具備するものである。
【００１１】
この場合、控え単管は、その一端側が、連結金具の一方の溝形金具に連結され、橋桁軸方向に連続する複数個の朝顔となすパネル式吊り足場板間に跨がって架設される一体化用単管にクランプを介して固着され、その他端側が、連結部材の他方の溝形金具に連結され、橋桁軸方向に連続する複数個の吊り足場を構成するパネル式吊り足場板間に跨がって架設される一体化用単管にクランプを介して固着されるように取り付けるのが望ましい。
【００１２】
また、一体化用単管は、各パネル式吊り足場板に内蔵された埋め込みナットに螺着するボルト付単クランプを介して取り付けるのが良い。
【考案の効果】
【００１３】
上記構成よりなる本考案のパネル式吊り足場板の朝顔構築部材によれば、前記図１０（ａ）（ｂ）（ｃ）で示した吊り足場４構築用のパネル式吊り足場板５を、そのまま朝顔パネルとして使用することが可能となる。したがって、従来のように朝顔９を組み立てるための多数の単管やクランプ等の連結具、シート等が不要となり、部材数量の積算や資材管理が簡単となるため、必要な部材数量に過不足等を生じることがない。
【００１４】
また、朝顔となすパネル式吊り足場板は、専用の連結金具により、数カ所のボルト締着操作のみで吊り足場を構成するパネル式吊り足場板に取り付けられるから、作業員の熟練度によらず、誰にでも簡単かつ迅速に、均一な仕上げ状態の朝顔を構築することができる。さらに、朝顔となすパネル式吊り足場板は、その傾斜角度が連結金具のヒンジにより無段階に設定することが可能であり、しかも吊り足場との間に隙間が全く生じないから、工具や部材等が落下する虞れがなく、安全で幅木の取り付けも不要である。
【考案を実施するための最良の形態】
【００１５】
以下、本考案の実施形態を図面に基づいて説明する。
【実施例１】
【００１６】
図１は、本考案に係るパネル式吊り足場板の朝顔構築部材を実施した一例を示す断面図であり、４は高速道路１の橋桁２よりチェーン３にて吊り下げられた吊り足場、９は吊り足場４の橋桁２軸直角方向の両側に設けられた朝顔を示している。
【００１７】
すなわち、吊り足場４は、先に図１０（ａ）（ｂ）（ｃ）で示したパネル式吊り足場板５を、橋桁２の軸方向および軸直角方向（矢印ａ方向）に、それぞれ必要個数チェーン３にて吊り下げ、隣接するもの同士を、各パネル式吊り足場板５が備える前記フック６や該フックの係合軸７、クリップ８等で互いに連結することにより構築したものである。
【００１８】
朝顔９は、上記の如く構築された吊り足場４の橋桁２軸直角方向の両端に位置し、かつ橋桁２軸方向に連続する複数個のパネル式吊り足場板５に対して、これと同一構造で朝顔９となすパネル式吊り足場板５を、それぞれ専用の連結金具１０で連結し、所要数の控え単管１７で所要の傾斜角度θに保持することにより設けられている。
【００１９】
上記の連結金具１０は、図２に示すように、断面形状溝型をなす左右一対の溝型金具１０1 ，１０2 で構成されている。これらの溝型金具１０1 ，１０2 は、その長さＬが、前記の如く構築された足場４を構成するパネル式吊り足場板５の橋桁２軸直角方向の側枠５ｂの長さＬ’（図１０（ａ）参照）と同じに形成してあり、溝内部には、その長手方向にほぼ等間隔で補強板１１が設けてある。そして、一方の溝型金具１０1 の一側面１０1 ａ上縁部と、他方の溝型金具１０2 の一側面１０2 ａ上縁部とが一本のピン１２でヒンジ連結してあり、一方の溝型金具１０1 が上記ピン１２を中心に矢印の如く回転して、他方の溝型金具１０2 上に逆向きに重ね合わせられるようになっている。また、これらの溝型金具１０1 ，１０2 の反ヒンジ連結側の一側面１０1 ｂ，１０2 ｂには、それぞれ、その長さＬ方向に並ぶ複数個のボルト穴１３が設けてある。これらのボルト穴１３は、図３、図４に示すように、いずれも吊り足場４または朝顔９となすパネル式吊り足場板５の橋桁２軸直角方向の側枠５ｂに設けられた同数のボルト穴１４（図１０（ｃ）参照）と互いに連通し、ボルト１５を挿通してナット１６で締着できるように形成されている。
【００２０】
控え単管１７は、吊り足場４を構成するパネル式吊り足場板５と、これに上記連結金具１０にて連結された朝顔９となすパネル式吊り足場板５との間に架設して、朝顔９となすパネル式吊り足場板５を所要の傾斜角度θに保持するものである。この控え単管１７は、予め長さの異なるものを数種類準備しておき、施工に応じて使用する控え単管１７の長さを変更することにより、連結金具１０のヒンジ回転が調節されて、朝顔９となすパネル式吊り足場板５の傾斜角度θを所要の角度に設定することができる。
【００２１】
図示例では、上記控え単管１７は、図５、図６に示すように、その一端側１７ａが、連結金具１０の一方の溝形金具１０1 に連結され、橋桁２軸方向に連続する複数個の朝顔９となすパネル式吊り足場板５間に跨がって架設された一体化用単管１８ａにクランプ１９を介して固着してあり、その他端側１７ｂが、連結金具１０の他方の溝形金具１０2 に連結され、橋桁２軸方向に連続する複数個の吊り足場４を構成するパネル式吊り足場板５間に跨がって架設された一体化用単管１８ｂにクランプ１９を介して固着してある。
【００２２】
一方の一体化用単管１８a は、連結金具１０の一方の溝型金具１０1 に連結された朝顔９となす側の複数個のパネル式吊り足場板５を、一体的に固定するもの。また、他方の一体化用単管１８ｂは、連結金具１０の他方の溝型金具１０2 に連結された吊り足場４を構成する側の複数個のパネル式吊り足場板５を、一体的に固定するものである。図示例では、これらの一体化用単管１８ａ，１８ｂは、上記の各パネル式吊り足場板５に内蔵されている埋め込みナット２０（図１０（ａ）参照）に、予め図７に示すようなボルト付単クランプ２１を螺着しておき、これらの各クランプ２１間に、それぞれ単管１８ａ，１８ｂを通して取り付けてある。
【００２３】
上記構成よりなる本考案のパネル式吊り足場板の朝顔構築部材を使用するには、まず、吊り足場４を構築する。吊り足場４の構築は、高速道路１等の橋桁２よりチェーン３にてパネル式吊り足場板５を一個ずつ所定位置に吊り下げ、橋桁２の軸方向および該軸直角方向に、それぞれ所要数を連結することにより行なう。
【００２４】
次ぎに、上記の如く構築された吊り足場４の橋桁２軸直角方向の両端に位置するパネル式吊り足場板５上に、朝顔９構築部材である連結金具１０と控え単管１７、一体化用単管１８ａ，１８ｂなどを運び込む。そうして、連結金具１０の他方の溝型金具１０2 の一側面１０2 ｂを、吊り足場４を構成する上記パネル式吊り足場板５の側枠５ｂに当接し、該側枠５ｂの備えるクリップ８で双方の側枠５ｂと一側面１０2 ｂとを連結するとともに、この当接により連通した双方のボルト穴１３，１４にボルト１５を挿通して、ナット１６を締着する。
【００２５】
次いで、上記連結金具１０を取り付けたパネル式吊り足場板５の外方に、橋桁２よりチェーン３にて朝顔９となすパネル式吊り足場板５を吊り下げる。そうして、この吊り下げた状態の足場板５の側枠５ｂに、前記連結金具１０の一方の溝型金具１０1 の一側面１０1ｂを当接し、双方のボルト穴１３，１４にボルト１５を挿通して、ナット１６で締着する。
【００２６】
このようにして、吊り足場４の橋桁２軸直角方向の両端に位置し、かつ橋桁２軸方向に連続する複数個のパネル式吊り足場板５に、連結金具１０により、順次朝顔９となすパネル式吊り足場板５を連結してゆく。このとき、橋桁２軸方向に連続する複数個の朝顔９となすパネル式吊り足場板５は、これらの各足場板５が備えるフック６と係合軸７とで、互いに隣接するものどうしを連結しておく。
【００２７】
上記の連結作業が完了すると、次ぎに、連結金具１０により連結した両側のパネル式吊り足場板５に、それぞれ一体化用単管１８ａ，１８ｂを取り付ける。すなわち、一方の一体化用単管１８ａは、連結金具１０の一方の溝型金具１０1 に連結され、橋桁２軸方向に連続する複数個の朝顔９となすパネル式吊り足場板５に跨がって配設し、これを各パネル式吊り足場板５に予め螺着しておいたボルト付単クランプ２１に通して固定する。また、他方の一体化用単管１８ｂは、連結金具１０の他方の溝型金具１０2 に連結され、橋桁２軸方向に連続する複数個の吊り足場４を構成するパネル式吊り足場板５に跨がって配設し、これを各パネル式吊り足場板５に予め螺着しておいたボルト付単クランプ２１に通して固定する。
【００２８】
次ぎに、連結金具１０により連結した両側のパネル式吊り足場板５間に、複数本の控え単管１７を所定間隔で架設する。これらの控え単管１７は、その一端側１７ａを、前記一方の一体化用単管１８ａにクランプ１９を用いて固定し、その他端側１７ｂを、前記他方の一体化用単管１８ｂにクランプ１９を用いて固定することにより取り付ける。これにより、朝顔９となすパネル式吊り足場板５は、連結金具１０により連結された吊り足場４を構成するパネル式吊り足場板５に対して、所要の傾斜角度θで保持されることとなる。最後に、朝顔９となすパネル式吊り足場板５から、それぞれ吊りチェーン３を取り外すことにより、朝顔９の構築が完了する。なお、控え単管１７は、その長さによって、朝顔９となすパネル式吊り足場板５の傾斜角度θが変化するから、予め設定された前記傾斜角度θに応じた長さをのものを選定してしておく。
【図面の簡単な説明】
【００２９】
【図１】本考案に係るパネル式吊り足場板の朝顔構築部材を実施した仮設吊り足場の断面図である。
【図２】本考案に係る連結金具を説明する斜視図である。
【図３】本考案に係る連結金具を説明する要部拡大断面図である。
【図４】図３のＡ−Ａ矢視図である。
【図５】本考案に係る控え単管を説明する要部拡大側面図である。
【図６】図５のＡ−Ａ矢視図である。
【図７】ボルト付単クランプを説明する要部拡大側面図である。
【図８】従来の一般的な吊り足場を説明する断面図である。
【図９】パネル式吊り足場板を使用した吊り足場を説明する断面図である。
【図１０】パネル式吊り足場板を説明する図で、（ａ）は平面図、（ｂ）は正面図、（ｃ）は右側面図である。
【図１１】従来の朝顔を説明する要部拡大側面図である。
【図１２】図１１のＡ−Ａ矢視図である。
【符号の説明】
【００３０】
２  橋桁
３  吊りチェーン
４  吊り足場
５  パネル式吊り足場板
９  朝顔
１０  連結金具
１０1   一方の溝型金具
１０2   他方の溝型金具
１２  ピン
１３  ボルト穴
１４  ボルト穴
１５  ボルト
１７  控え単管
１８ａ，１８ｂ  一体化用単管
２１  ボルト付単クランプ
【図１】
0003120301.tif 000003
【図２】
0003120301.tif 000004
【図３】
0003120301.tif 000005
【図４】
0003120301.tif 000006
【図５】
0003120301.tif 000007
【図６】
0003120301.tif 000008
【図７】
0003120301.tif 000009
【図８】
0003120301.tif 000010
【図９】
0003120301.tif 000011
【図１０】
0003120301.tif 000012
【図１１】
0003120301.tif 000013
【図１２】
0003120301.tif 000014